(57)【要約】【課題】子機端末がモバイルルータと通信を行う際、ユーザによる子機端末の置き忘れを防止することが可能な子機端末、モバイルルータ、通信システム、方法及びプログラムを提供すること。【解決手段】本発明に係る子機端末１１は、第１無線通信インターフェースＩＦ１及び第２無線通信インターフェースＩＦ２の少なくとも一方でモバイルルータ１２と通信を行う子機通信部１１１と、第１無線通信インターフェースＩＦ１の通信の接続が切断した場合、第２無線通信インターフェースＩＦ２の通信に切替える子機切替部１１２と、第１無線通信インターフェースＩＦ１の通信の接続及び第２無線通信インターフェースＩＦ２の通信の接続のいずれもが切断した場合、子機端末１１を使用するユーザに対してユーザ通知Ｎｔ１を行う子機通知部１１３と、を備える。【選択図】図１
2019126006.tif 000002
【特許請求の範囲】
【請求項１】
第１無線通信インターフェース及び第２無線通信インターフェースの少なくとも一方でモバイルルータと通信を行う子機通信部と、
前記第１無線通信インターフェースの通信の接続が切断した場合、前記第２無線通信インターフェースの通信に切替える子機切替部と、
前記第１無線通信インターフェースの通信の接続及び前記第２無線通信インターフェースの通信の接続のいずれもが切断した場合、自端末を使用するユーザに対してユーザ通知を行う子機通知部と、
を備える子機端末。
【請求項２】
前記第２無線通信インターフェースの通信可能な最大距離は、前記第１無線通信インターフェースの通信可能な最大距離よりも長い、
請求項１に記載の子機端末。
【請求項３】
前記第１無線通信インターフェースの通信の接続状態と前記第２無線通信インターフェースの通信の接続状態とを監視する子機監視部をさらに有する、
請求項１又は２に記載の子機端末。
【請求項４】
自端末の位置情報を取得するＧＰＳをさらに有し、
前記位置情報は、自端末の置き忘れ場所の候補場所として前記ユーザ通知に含まれる、
請求項１乃至３のいずれか１つに記載の子機端末。
【請求項５】
前記第１無線通信インターフェースは、ＩＥＥＥ８０２．１１ｎ、又はＩＥＥＥ８０２．１１ａｃを使用した無線通信インターフェースであり、
前記第２無線通信インターフェースは、ＩＥＥＥ８０２．１１ａｈを使用した無線通信インターフェースである、
請求項１乃至４のずれか１つに記載の子機端末。
【請求項６】
第１無線通信インターフェース及び第２無線通信インターフェースの少なくとも一方で子機端末と通信を行うルータ通信部と、
前記第１無線通信インターフェースの通信の接続が切断した場合、前記第２無線通信インターフェースの通信に切替えるルータ切替部と、
前記第１無線通信インターフェースの通信の接続及び前記第２無線通信インターフェースの通信の接続のいずれもが切断した場合、前記子機端末にユーザ通知を行わせるため、前記子機端末にアラームを通知するルータ通知部と、
を備えるモバイルルータ。
【請求項７】
子機端末と、前記子機端末と通信を行うモバイルルータと、を備え、
前記子機端末は、
第１無線通信インターフェース及び第２無線通信インターフェースの少なくとも一方で前記モバイルルータと通信を行う子機通信部と、
前記第１無線通信インターフェースの通信の接続が切断した場合、前記第２無線通信インターフェースの通信に切替える子機切替部と、
前記第１無線通信インターフェースの通信の接続及び前記第２無線通信インターフェースの通信の接続のいずれもが切断した場合、自端末を使用するユーザに対してユーザ通知を行う子機通知部と、を有し、
前記モバイルルータは、
前記第１無線通信インターフェース及び前記第２無線通信インターフェースの少なくとも一方で前記子機端末と通信を行うルータ通信部と、
前記第１無線通信インターフェースの通信の接続が切断した場合、前記第２無線通信インターフェースの通信に切替えるルータ切替部と、
前記第１無線通信インターフェースの通信の接続及び前記第２無線通信インターフェースの通信の接続のいずれもが切断した場合、前記子機端末に前記ユーザ通知を行わせるため、前記子機端末にアラームを通知するルータ通知部と、を有する、
通信システム。
【請求項８】
子機端末と、前記子機端末と第１無線通信インターフェースで通信を行うモバイルルータと、前記子機端末と接続され前記モバイルルータと第２無線通信インターフェースで通信を行うアクセサリと、を備え、
前記子機端末は、
前記モバイルルータと通信を行う子機通信部と、
前記第１無線通信インターフェースの通信の接続及び前記第２無線通信インターフェースの通信の接続のいずれもが切断した場合、前記子機端末を使用するユーザに対してユーザ通知を行う子機通知部と、を有し、
前記アクセサリは、
前記子機端末が前記ユーザ通知を行った後、前記モバイルルータと前記第２無線通信インターフェースの通信の再接続が行われた場合、前記子機端末に別のユーザ通知を行わせるため、前記子機端末に起床通知を行うアクセサリ通信部を有し、
前記モバイルルータは、
前記子機端末が前記ユーザ通知を行った後、前記再接続が行われた場合、前記子機端末に前記別のユーザ通知を行わせるため、前記アクセサリを介して前記子機端末に起床通知を行うルータ通信部を有し、
前記子機端末は、前記ユーザに対して前記別のユーザ通知を行う、
通信システム。
【請求項９】
第１無線通信インターフェース及び第２無線通信インターフェースの少なくとも一方でモバイルルータと通信を行うステップと、
前記第１無線通信インターフェースの通信の接続が切断した場合、前記第２無線通信インターフェースの通信に切替えるステップと、
前記第１無線通信インターフェースの通信の接続及び前記第２無線通信インターフェースの通信の接続のいずれもが切断した場合、子機端末を使用するユーザに対してユーザ通知を行うステップと、
を備える方法。
【請求項１０】
第１無線通信インターフェース及び第２無線通信インターフェースの少なくとも一方でモバイルルータと通信を行うステップと、
前記第１無線通信インターフェースの通信の接続が切断した場合、前記第２無線通信インターフェースの通信に切替えるステップと、
前記第１無線通信インターフェースの通信の接続及び前記第２無線通信インターフェースの通信の接続のいずれもが切断した場合、子機端末を使用するユーザに対してユーザ通知を行うステップと、
をコンピュータに実行させるプログラム。
【発明の詳細な説明】
【技術分野】
【０００１】
本発明は、子機端末、モバイルルータ、通信システム、方法及びプログラムに関するものであり、特に、子機端末がモバイルルータと通信を行う際、ユーザによる子機端末の置き忘れを防止することが可能な子機端末、モバイルルータ、通信システム、方法及びプログラムに関する。
【背景技術】
【０００２】
子機端末とモバイルルータとが通信を行う通信システムが知られている。モバイルルータは、子機端末を休止状態に設定したり、子機端末が使用する周波数帯域の切替等の設定を行う。一方、無線子機は、Ｗｅｂ設定ページにアクセスし、それら以外の詳細な設定を行う。子機端末とモバイルルータとを有する通信システムは、ユーザが移動した移動先で使用されることがある。この通信システムを使用するユーザは、移動先において、使用開始時の電源操作以外はモバイルルータを操作しないことが多い。このため、ユーザは、モバイルルータを移動先に置き忘れてしまうことがある。また、ユーザは、モバイルルータの置き忘れに注力するあまり、無線子機への認識がおろそかになり、無線子機を置き忘れてしまうという問題があった。
【０００３】
特許文献１には、適応的にプロトコルを送るための送出／クリア要求をイネーブルするように構成される装置が開示されている。特許文献１の一実施形態には、アクセスポイントと複数のデバイスのうちの１つまたは複数のデバイスとの間の複数の通信リンク特性のうちの１つまたは複数を含む１つまたは複数のルールを識別することを備え得る、ことが開示されている。特許文献１の一実施形態には、１つまたは複数のルールの各リンク特性が各ルールにおけるリンク特性しきい値を満足したかどうかに基づいて、アクセスポイントと複数のデバイスのうちの１つまたは複数のデバイスとの間でプロトコルを送ることの送出／クリア要求を選択的にイネーブルすることをさらに備える、ことが開示されている。特許文献１の特定の実施形態には、局またはアクセスポイントがルールを識別してこのルールを他のデバイスへ送信し、送出／送出クリア要求が使用されることになる１つまたは複数の条件を規定する、ことが開示されている。特許文献１に開示されている内容は、異なる通信リンク特性を使用し、データ送受信のルール変更により通信の効率化を行うことを主な目的としている。しかしながら、特許文献１には、子機端末の置き忘れを防止することは、開示されていない。
【０００４】
特許文献２には、離間判別部が無線信号の受信状態に基づいて情報処理装置と電子機器との距離が所定の距離以上離れていると判別しているときに、静止状態検出部が電子機器が静止状態であることを検出した場合に、報知部が電子機器が置き忘れられていることを示す警報を報知する、紛失報知システムが開示されている。特許文献２には、情報処理装置と電子機器との距離を電波強度を使用して算出することが開示されている。特許文献２には、無線信号が一定時間以上受信されなかった場合は、情報処理装置と電子機器との距離が所定の距離以上離れていると判断することが開示されている。しかしながら、特許文献２には、情報処理装置と電子機器との距離が所定の距離以上離れているか否か（通信の接続が切断されたか否か）の判断において、データを送受信する通信インターフェースとは別の通信インターフェースを使用して判断することは開示されていない。
【先行技術文献】
【特許文献】
【０００５】
【特許文献１】特開２０１６−５３６９０３号公報
【特許文献２】特開２０１５−１３８９８３号公報
【発明の概要】
【発明が解決しようとする課題】
【０００６】
上記のように、子機端末がモバイルルータと通信を行う際、ユーザが無線子機を置き忘れてしまうという問題があった。
【０００７】
本開示の目的は、上述した課題のいずれかを解決する子機端末、モバイルルータ、通信システム、方法及びプログラムを提供することにある。
【課題を解決するための手段】
【０００８】
本開示に係る子機端末は、
第１無線通信インターフェース及び第２無線通信インターフェースの少なくとも一方でモバイルルータと通信を行う子機通信部と、
前記第１無線通信インターフェースの通信の接続が切断した場合、前記第２無線通信インターフェースの通信に切替える子機切替部と、
前記第１無線通信インターフェースの通信の接続及び前記第２無線通信インターフェースの通信の接続のいずれもが切断した場合、自端末を使用するユーザに対してユーザ通知を行う子機通知部と、
を備える。
【０００９】
本開示に係るモバイルルータは、
第１無線通信インターフェース及び第２無線通信インターフェースの少なくとも一方で子機端末と通信を行うルータ通信部と、
前記第１無線通信インターフェースの通信の接続が切断した場合、前記第２無線通信インターフェースの通信に切替えるルータ切替部と、
前記第１無線通信インターフェースの通信の接続及び前記第２無線通信インターフェースの通信の接続のいずれもが切断した場合、前記子機端末にユーザ通知を行わせるため、前記子機端末にアラームを通知するルータ通知部と、
を備える。
【００１０】
本開示に係る通信システムは、
子機端末と、前記子機端末と通信を行うモバイルルータと、を備え、
前記子機端末は、
第１無線通信インターフェース及び第２無線通信インターフェースの少なくとも一方で前記モバイルルータと通信を行う子機通信部と、
前記第１無線通信インターフェースの通信の接続が切断した場合、前記第２無線通信インターフェースの通信に切替える子機切替部と、
前記第１無線通信インターフェースの通信の接続及び前記第２無線通信インターフェースの通信の接続のいずれもが切断した場合、自端末を使用するユーザに対してユーザ通知を行う子機通知部と、を有し、
前記モバイルルータは、
前記第１無線通信インターフェース及び前記第２無線通信インターフェースの少なくとも一方で前記子機端末と通信を行うルータ通信部と、
前記第１無線通信インターフェースの通信の接続が切断した場合、前記第２無線通信インターフェースの通信に切替えるルータ切替部と、
前記第１無線通信インターフェースの通信の接続及び前記第２無線通信インターフェースの通信の接続のいずれもが切断した場合、前記子機端末に前記ユーザ通知を行わせるため、前記子機端末にアラームを通知するルータ通知部と、を有する。
【００１１】
本開示に係る通信システムは、
子機端末と、前記子機端末と第１無線通信インターフェースで通信を行うモバイルルータと、前記子機端末と接続され前記モバイルルータと第２無線通信インターフェースで通信を行うアクセサリと、を備え、
前記子機端末は、
前記モバイルルータと通信を行う子機通信部と、
前記第１無線通信インターフェースの通信の接続及び前記第２無線通信インターフェースの通信の接続のいずれもが切断した場合、前記子機端末を使用するユーザに対してユーザ通知を行う子機通知部と、を有し、
前記アクセサリは、
前記子機端末が前記ユーザ通知を行った後、前記モバイルルータと前記第２無線通信インターフェースの通信の再接続が行われた場合、前記子機端末に別のユーザ通知を行わせるため、前記子機端末に起床通知を行うアクセサリ通信部を有し、
前記モバイルルータは、
前記子機端末が前記ユーザ通知を行った後、前記再接続が行われた場合、前記子機端末に前記別のユーザ通知を行わせるため、前記アクセサリを介して前記子機端末に起床通知を行うルータ通信部を有し、
前記子機端末は、前記ユーザに対して前記別のユーザ通知を行う。
【００１２】
本開示に係る方法は、
第１無線通信インターフェース及び第２無線通信インターフェースの少なくとも一方でモバイルルータと通信を行うステップと、
前記第１無線通信インターフェースの通信の接続が切断した場合、前記第２無線通信インターフェースの通信に切替えるステップと、
前記第１無線通信インターフェースの通信の接続及び前記第２無線通信インターフェースの通信の接続のいずれもが切断した場合、子機端末を使用するユーザに対してユーザ通知を行うステップと、
を備える。
【００１３】
本開示に係るプログラムは、
第１無線通信インターフェース及び第２無線通信インターフェースの少なくとも一方でモバイルルータと通信を行うステップと、
前記第１無線通信インターフェースの通信の接続が切断した場合、前記第２無線通信インターフェースの通信に切替えるステップと、
前記第１無線通信インターフェースの通信の接続及び前記第２無線通信インターフェースの通信の接続のいずれもが切断した場合、子機端末を使用するユーザに対してユーザ通知を行うステップと、
をコンピュータに実行させる。
【発明の効果】
【００１４】
本発明によれば、子機端末がモバイルルータと通信を行う際、ユーザによる子機端末の置き忘れを防止することが可能な子機端末、モバイルルータ、通信システム、方法及びプログラムを提供することができる。
【図面の簡単な説明】
【００１５】
【図１】実施の形態１に係る通信システムを例示するブロック図である。
【図２】実施の形態１に係る通信システムを例示する模式図である。
【図３】実施の形態１に係る通信システムの動作を例示するフローチャートである。
【図４】実施の形態２に係る通信システムを例示するブロック図である。
【図５】実施の形態２に係る通信システムの動作を例示するフローチャートである。
【図６】実施の形態２に係る子機端末の位置情報を取得の動作を例示するフローチャートである。
【図７】実施の形態３に係る通信システムを例示するブロック図である。
【図８】実施の形態３に係る通信システムの動作を例示するフローチャートである。
【発明を実施するための形態】
【００１６】
以下、図面を参照して本発明の実施の形態について説明する。各図面において、同一又は対応する要素には同一の符号が付されており、説明の明確化のため、必要に応じて重複説明を省略する。
【００１７】
［実施の形態１］
実施の形態１に係る通信システムの構成を説明する。
【００１８】
図１は、実施の形態１に係る通信システムを例示するブロック図である。
図２は、実施の形態１に係る通信システムを例示する模式図である。
【００１９】
図１及び図２に示すように、通信システム１０は、子機端末１１と、子機端末１１と通信を行うモバイルルータ１２と、を備える。
【００２０】
子機端末１１は、通信部１１１と、切替部１１２と、通知部１１３と、を有する。通信部１１１を子機通信部と称し、切替部１１２を子機切替部と称し、通知部１１３を子機通知部と称することもある。子機端末１１は、一般的な子機機能を有するが、ここでは説明を省略する。
【００２１】
通信部１１１は、第１無線通信インターフェースＩＦ１及び第２無線通信インターフェースＩＦ２の少なくとも一方でモバイルルータ１２と通信を行う。第１無線通信インターフェースＩＦ１は、例えば、ＩＥＥＥ８０２．１１ｎ、又はＩＥＥＥ８０２．１１ａｃを使用した無線通信インターフェースである。第２無線通信インターフェースＩＦ２は、例えば、ＩＥＥＥ８０２．１１ａｈを使用した無線通信インターフェースである。
【００２２】
切替部１１２は、第１無線通信インターフェースＩＦ１の通信の接続が切断した場合、第２無線通信インターフェースＩＦ２の通信に切替える。
【００２３】
通知部１１３は、第１無線通信インターフェースＩＦ１の通信の接続及び第２無線通信インターフェースＩＦ２の通信の接続のいずれもが切断した場合、子機端末１１を使用するユーザに対してユーザ通知Ｎｔ１を行う。通知部１１３は、子機端末１１のディスプレイへのメッセージ表示、バイブレータによる振動、ブザーによる鳴動、及びランプの点灯のうち少なくともいずれか１つを行うことでユーザ通知Ｎｔ１を行い、ユーザに対して注意を喚起する。
【００２４】
また、子機端末１１は、第１無線通信インターフェースＩＦ１の通信の接続状態と第２無線通信インターフェースＩＦ２の通信の接続状態とを監視する監視部（図示しない）をさらに有してもよい。子機端末１１が有する監視部を子機監視部と称することもある。
【００２５】
モバイルルータ１２は、通信部１２１と、切替部１２２と、通知部１２３と、を有する。通信部１２１をルータ通信部と称し、切替部１２２をルータ切替部と称し、通知部１２３をルータ通知部と称することもある。モバイルルータ１２は、一般的な無線ルータ機能を有するが、ここでは説明を省略する。
【００２６】
通信部１２１は、第１無線通信インターフェースＩＦ１及び第２無線通信インターフェースＩＦ２の少なくとも一方で子機端末１１と通信を行う。
【００２７】
切替部１２２は、第１無線通信インターフェースＩＦ１の通信の接続が切断した場合、第２無線通信インターフェースＩＦ２の通信に切替える。
【００２８】
通知部１２３は、第１無線通信インターフェースＩＦ１の通信の接続及び第２無線通信インターフェースＩＦ２の通信の接続のいずれもが切断した場合、子機端末１１にユーザ通知Ｎｔ１を行わせるため、子機端末１１にアラームを通知する。
【００２９】
モバイルルータ１２からアラームを通知された子機端末１１は、子機端末１１のディスプレイへのメッセージ表示、バイブレータによる振動、ブザーによる鳴動、及びランプの点灯のうち少なくともいずれか１つを行う。これにより、ユーザ通知Ｎｔ１を行い、ユーザに対して注意を喚起する。
【００３０】
また、モバイルルータ１２は、第１無線通信インターフェースＩＦ１の通信の接続状態と第２無線通信インターフェースＩＦ２の通信の接続状態とを監視する監視部（図示しない）をさらに有してもよい。モバイルルータ１２が有する監視部をルータ監視部と称することもある。
【００３１】
また、第１無線通信インターフェースＩＦ１の消費電力は、第２無線通信インターフェースＩＦ２の消費電力よりも大きい。このため、子機端末１１とモバイルルータ１２のそれぞれは、第１無線通信インターフェースＩＦ１から第２無線通信インターフェースＩＦ２に切替えることにより、子機端末１１の消費電力を低減することができる。
【００３２】
また、子機端末１１とモバイルルータ１２のそれぞれが、第１無線通信インターフェースＩＦ１と第２無線通信インターフェースＩＦ２とを切替する機能を有している。子機端末１１が切替要求を行って第１無線通信インターフェースＩＦ１と第２無線通信インターフェースＩＦ２とを切替てもよい、又は、モバイルルータ１２が切替要求を行って切替てもよい。
【００３３】
また、第１無線通信インターフェースＩＦ１の周波数は、第２無線通信インターフェースＩＦ２の周波数とは異なる。
実施の形態１に係る通信システムの動作を説明する。
実施の形態１の説明では、モバイルルータ１２は、一般的な無線ルータ機能を有し、Ｗｉ−Ｆｉで接続するアクセスポイントとしての機能を有するものとする。また、実施の形態１の説明では、第１無線通信インターフェースＩＦ１はＷｉ−Ｆｉとし、第２無線通信インターフェースＩＦ２はＩＥＥＥ８０２．１１ａｈとして説明する。
【００３４】
図３は、実施の形態１に係る通信システムの動作を例示するフローチャートである。
【００３５】
図３に示すように、子機端末１１は、モバイルルータ１２にＷｉ−Ｆｉ通信で接続を行う。子機端末１１がモバイルルータ１２との通信を終了した際、通信の終了（切断）をトリガとして、置き忘れ防止機能を開始する。
【００３６】
子機端末１１は、Ｗｉ−Ｆｉ通信の切断を検知する（ステップＳ１０１）。
【００３７】
子機端末１１は、モバイルルータ１２に対してＩＥＥＥ８０２．１１ａｈを使用した再接続を要求する。モバイルルータ１２は、子機端末１１に対してＩＥＥＥ８０２．１１ａｈを使用した接続を行う（ステップＳ１０２）。
【００３８】
ＩＥＥＥ８０２．１１ａｈの通信可能な最大距離は、ＩＥＥＥ８０２．１１ｎやＩＥＥＥ８０２．１ａｃ等のＷｉ−Ｆｉ通信の通信可能な最大距離よりも長い。このため、切断の直前までＷｉ−Ｆｉ通信を行っていた場合、その後においてＩＥＥＥ８０２．１１ａｈでの接続が可能である。
【００３９】
ＩＥＥＥ８０２．１１ａｈを使用した接続が成功しなかった場合（ステップＳ１０３：Ｎｏ）、モバイルルータ１２と子機端末１１との間に障害が発生していると判断する。比較的遠くまで通信可能なＩＥＥＥ８０２．１１ａｈを使用しても通信ができないので、ユーザが子機端末１１を何処かに置き忘れたものと判断する。ユーザによる子機端末１１の置き忘れが発生したものとしてユーザに対してユーザ通知Ｎｔ１を行う（ステップＳ１０４）。
【００４０】
子機端末１１は、所定時間以内にＩＥＥＥ８０２．１１ａｈによる接続が行われなかった場合、ユーザが子機端末１１を何処かに置き忘れたまま電池が切れ、接続が行われないものと判断してもよい。そして、子機端末１１は、所定時間以内にＩＥＥＥ８０２．１１ａｈによる接続が行われなかったことをトリガとしてユーザ通知Ｎｔ１を行ってもよい。
【００４１】
ＩＥＥＥ８０２．１１ａｈを使用した接続に成功した場合（ステップＳ１０３：Ｙｅｓ）、通常運用でのＷｉ−Ｆｉ通信は終了し、子機端末１１はモバイルルータ１２の近くに存在すると判断する。これにより、子機端末１１の置き忘れは発生していないと判断し、ＩＥＥＥ８０２．１１ａｈを使用した通信の通信状態の監視を行う（ステップＳ１０５）。
【００４２】
ＩＥＥＥ８０２．１１ａｈを使用した通信が切断した場合（ステップＳ１０６：Ｙｅｓ）、モバイルルータ１２と子機端末１１との間に障害が発生していると判断する。そして、ユーザによる子機端末１１の置き忘れが発生したものとしてユーザに対してユーザ通知Ｎｔ１を行う（ステップＳ１０７）。子機端末１１は、ＩＥＥＥ８０２．１１ａｈによる通信の切断をトリガとしてユーザに対してユーザ通知Ｎｔ１を行う。
【００４３】
ＩＥＥＥ８０２．１１ａｈを使用した通信の監視中に、通常運用でのＷｉ−Ｆｉ通信の接続が行われた場合（ステップＳ１０８：Ｙｅｓ）、ＩＥＥＥ８０２．１１ａｈを使用した通信を切断する（ステップＳ１０９）。Ｗｉ−Ｆｉ通信は、ＩＥＥＥ８０２．１１ｎ、又はＩＥＥＥ８０２．１１ａｃ等を使用した通信である。
【００４４】
そして、置き忘れ防止機能を停止し、通信監視状態へ戻る（ステップＳ１１０）。
【００４５】
実施の形態１に係る通信システム１０の動作の説明においては、ステップＳ１０１〜ステップＳ１１０の動作を子機端末１１の動作として説明したがこれには限定されない。子機端末１１に代わってモバイルルータ１２がステップＳ１０１〜ステップＳ１１０の動作を行ってもよい。この場合、ステップＳ１０４とステップＳ１０７のユーザ通知Ｎｔ１を行う動作は、モバイルルータ１２が子機端末１１にアラームを通知し、アラームを通知された子機端末１１が、バイブレータによる振動等を行うことでユーザ通知Ｎｔ１を行う。
【００４６】
実施の形態１に係る通信システム１０においては、子機端末１１がＩＥＥＥ８０２．１１ａｈ（第２無線通信インターフェースＩＦ２）を使用した通信の接続切断をトリガとして、子機端末からユーザに対してユーザ通知Ｎｔ１を行う。このとき、モバイルルータ１２が接続切断を検知し、モバイルルータ１２が子機端末１１にアラームを通知し、子機端末１１がユーザに対してユーザ通知Ｎｔ１を行ってもよい。また、子機端末１１及びモバイルルータ１２の両方からユーザに対してユーザ通知Ｎｔ１を行ってもよい。
【００４７】
通信システム１０は、子機端末１１及びモバイルルータ１２の少なくとも一方が通信の接続切断を検知し、子機端末１１がユーザに対してユーザ通知Ｎｔ１を行うので、ユーザは子機端末１１の置き忘れを認識し易くなる。また、子機端末１１及びモバイルルータ１２の一方が通信の接続切断を検知ができない場合でも、他方が接続切断を検知し、子機端末１１がユーザ通知Ｎｔ１を行うので、ユーザは子機端末１１の置き忘れを認識し易くなる。
【００４８】
その結果、子機端末がモバイルルータと通信を行う際、ユーザによる子機端末の置き忘れを防止することが可能な子機端末、モバイルルータ、通信システム、方法及びプログラムを提供することができる。
【００４９】
また、子機端末１１として、ＩＥＥＥ８０２．１１ａｈに対応するスマートフォンを使用する場合、通信部１１１と通知部１１３とは、スマートフォンが有する機能を使用することができる。また、切替部１１２や監視部は、スマートフォンのアプリケーションを使用することができる。子機端末１１は、このようにすることで、ハードウェアデバイス等を追加することなく低コストで置き忘れ防止機能を実現することができる。また、子機端末１１として、Ｗｉ−Ｆｉ通信機能を有するタブレットを使用する場合も同様である。
【００５０】
また、ＩＥＥＥ８０２．１１ａｈは、ＩＥＥＥ８０２．１１ｎ及びＩＥＥＥ８０２．１ａｃ等の通常運用のＷｉ−Ｆｉ通信と同様に、ＷＰＡ(Wi-Fi Protected Access)２を使用したＡＥＳ(Advanced Encryption Standard)での認証接続ができる。このため、実施の形態１に係る通信システム１０においては、例えば、Ｂｌｕｅｔｏｏｔｈ(登録商標)を使用する場合に必要となるペアリングの実施等が不要となる。そして、通信システム１０においては、通常運用でのＷｉ−Ｆｉ通信で使用するＳＳＩＤ(Service Set IDentifier)、パスワードをそのまま使用することができるので、別途、ＩＥＥＥ８０２．１１ａｈ用の通信設定を行う必要が無い。このように、通信システム１０においては、置き忘れ機能適用時の通信設定を容易にすることができる。
【００５１】
また、ＬＴＥ(Long Term Evolution)回線接続を用いたスマートフォンの位置検索サービスが知られている。ＬＴＥ回線接続を用いたスマートフォンの位置検索サービスは、常にＬＴＥ回線に接続している必要があるので、子機端末の電力消費が大きい。一方、実施の形態１に係る子機端末１１は、消費電力の大きなＩＥＥＥ８０２．１１ｎ及びＩＥＥＥ８０２．１ａｃの通信の接続が切断した場合、消費電力の少ないＩＥＥＥ８０２．１１ａｈの通信に切替える。これにより、子機端末１１は、ＬＴＥ回線接続を用いたスマートフォンの位置検索サービスと比べて消費電力を低くすることができる。
【００５２】
また、Ｂｌｕｅｔｏｏｔｈ(登録商標)接続による置き忘れ防止用のアクセサリが知られている。Ｂｌｕｅｔｏｏｔｈ(登録商標)接続による置き忘れ防止用のアクセサリは、使用する周波数帯域がＷｉ−Ｆｉ通信が使用する周波数帯域に近いので、混雑したＷｉ−Ｆｉ通信環境から電波干渉を受け易い。一方、実施の形態１に係る子機端末１１は、ＩＥＥＥ８０２．１１ａｈを使用する。ＩＥＥＥ８０２．１１ａｈが使用する周波数帯域は、サブギガヘルツ帯域である。サブギガヘルツ帯域は、Ｗｉ−Ｆｉ通信が使用する周波数帯域に近くない。これにより、ＩＥＥＥ８０２．１１ａｈが使用する周波数帯域とＷｉ−Ｆｉ通信が使用する周波数帯域とは異なるので、子機端末１１はＷｉ−Ｆｉ通信環境からの電波干渉を受けにくくすることができる。
【００５３】
［実施の形態２］
実施の形態２に係る通信システムの構成を説明する。
図４は、実施の形態２に係る通信システムを例示するブロック図である。
【００５４】
実施の形態２に係る通信システム２０は、実施の形態１に係る通信システム１０と比べて、アクセサリを備える点が異なる。また、子機端末が切替部と通知部とを有さずに、ＧＰＳ(Global Positioning System)を有する点が異なる。また、アクセサリが子機端末から削除された切替部と通知部とを有する点が異なる。
【００５５】
図４に示すように、通信システム２０は、子機端末２１と、子機端末２１と通信を行うモバイルルータ２２と、子機端末２１に接続されたアクセサリ２３と、を備える。
【００５６】
子機端末２１は、通信部２１１と、ＧＰＳ２１４と、を有する。子機端末２１の通信部２１１は、実施の形態１に係る子機端末１１が有していたＩＥＥＥ８０２．１１ａｈ通信の機能を有さない。通信部２１１は、一般的な無線通信機能と子機機能とを有する。ＧＰＳ２１４は、子機端末２１の現在の位置を特定する位置情報を取得する。
【００５７】
実施の形態２に係るモバイルルータ２２の構成は、実施の形態１に係るモバイルルータと１２と同様な構成であるので、説明を省略する。
【００５８】
アクセサリ２３は、通信部２３１と切替部２３２と通知部２３３とを有する。アクセサリ２３は、子機端末２１に接続（付与）され、子機端末２１の代わりに、モバイルルータ２２とＩＥＥＥ８０２．１１ａｈを使用した通信を行う。
【００５９】
通信部２３１は、子機端末２１の代わりに、モバイルルータ２２とＩＥＥＥ８０２．１１ａｈの通信を行う。通信部２３１は、子機端末２１のＧＰＳ２１４を使用するため、子機端末２１とＷｉ−Ｆｉ通信する。
【００６０】
切替部２３２は、Ｗｉ−Ｆｉ通信の接続が切断した場合、ＩＥＥＥ８０２．１１ａｈの通信に切替える。
【００６１】
通知部２３３は、子機端末２１を使用するユーザに対してユーザ通知Ｎｔ１を行う。通知部２３３は、通信部２３１が子機端末２１と通信可能な場合、子機端末２１にＳＭＳ(Short Message Service)を使用してアラームを通知し、アラームを通知された子機端末２１がユーザに対してユーザ通知Ｎｔ１を行ってもよい。尚、このアラームは、Ｗｉ−Ｆｉ通信の接続及びＩＥＥＥ８０２．１１ａｈの通信の接続のいずれもが切断した場合に発する。
【００６２】
実施の形態２に係る通信システムの動作を説明する。
図５は、実施の形態２に係る通信システムの動作を例示するフローチャートである。
【００６３】
図５に示すように、ユーザは、事前に置き忘れ防止機能を有効化する（ステップＳ２０１）。これにより、モバイルルータ２２とアクセサリ２３とは、ＩＥＥＥ８０２．１１ａｈを使用して接続する（ステップＳ２０２）。ＩＥＥＥ８０２．１１ａｈを使用した接続と認証では、モバイルルータ２２と子機端末２１との間のＷｉ−Ｆｉ通信の接続で使用されたＳＳＩＤとパスワードとを使用する。
【００６４】
ＩＥＥＥ８０２．１１ａｈを使用した接続が成功しなかった場合（ステップＳ２０３：Ｎｏ）、置き忘れ防止機能の有効化に失敗したと判断し、ユーザに対してユーザ通知Ｎｔ１を行う（ステップＳ２０４）。
【００６５】
ＩＥＥＥ８０２．１１ａｈを使用した接続が成功した場合（ステップＳ２０３：Ｙｅｓ）、モバイルルータ２２と、アクセサリ２３を付与した子機端末２１と、がモバイルルータ２２の近くに存在すると判断する。これにより、ユーザは子機端末２１を置き忘れていないと判断し、ＩＥＥＥ８０２．１１ａｈを使用した通信の接続状態の監視を行う（ステップＳ２０５）。
【００６６】
ＩＥＥＥ８０２．１１ａｈを使用した接続が成功後、ＩＥＥＥ８０２．１１ａｈを使用した通信が切断した場合（ステップＳ２０６：Ｙｅｓ）、モバイルルータ２２とアクセサリ２３との接続に何らかの障害が発生していると判断する。これにより、子機端末２１の置き忘れが発生したものとして、ユーザに対してユーザ通知Ｎｔ１を行う（ステップＳ２０７）。モバイルルータ２２とアクセサリ２３とは、それぞれがＩＥＥＥ８０２．１１ａｈを使用した通信の切断をトリガとして子機端末２１にアラームを通知し、子機端末２１がユーザに対してユーザ通知Ｎｔ１を行う。
【００６７】
実施の形態２に係るアクセサリ２３は、実施の形態１に係る子機端末１１と同様に、ＩＥＥＥ８０２．１１ａｈを使用する。このため、実施の形態２に係るアクセサリ２３も、Ｗｉ−Ｆｉ通信環境からの電波干渉を受けにくくすることができる。これにより、Ｗｉ−Ｆｉ通信で使用される周波数帯域が混雑している場合においても干渉を受けにくいので、Ｗｉ−Ｆｉ通信の切断の検知の失敗（これに伴う置き忘れ検知の失敗も含む）を低減することができる。また、モバイルルータ２２とアクセサリ２３とによるアラームの誤通知を低減することができる。
【００６８】
また、Ｗｉ−Ｆｉ（ＩＥＥＥ８０２．１１ｎ、ＩＥＥＥ８０２．１１ａｃ）通信で使用する周波数帯域が混雑していても、ＩＥＥＥ８０２．１１ａｈで使用する周波数帯域は混雑していない場合がある。このような場合、ＩＥＥＥ８０２．１１ａｈを使用するアクセサリ２３には、周波数が割り当てられるので、ＩＥＥＥ８０２．１１ａｈ通信の切断の検知の失敗を低減することができる。また、ＩＥＥＥ８０２．１１ａｈ通信の切断の誤検知を低減できるので、適切に子機端末２１の置き忘れを防止することができる。
【００６９】
図５に示すステップＳ２０６に戻り、ＩＥＥＥ８０２．１１ａｈを使用した通信が切断していない場合（ステップＳ２０６：Ｎｏ）、モバイルルータ２２と子機端末２１とのＷｉ−Ｆｉ通信を使用した接続が切断されていないかを確認する（ステップＳ２０８）。Ｗｉ−Ｆｉ通信を使用した接続が切断されていない場合（ステップＳ２０８：Ｎｏ）、ステップＳ２０６に戻る。
【００７０】
モバイルルータ２２と子機端末２１とのＷｉ−Ｆｉ通信を使用した接続が切断した場合（ステップＳ２０８：Ｙｅｓ）、子機端末２１の位置情報を取得する（ステップＳ２０９）。すなわち、モバイルルータ２２と子機端末２１との間のＷｉ−Ｆｉ通信の接続の切断（ステップＳ２０８：Ｙｅｓ）をトリガとして、子機端末２１の現在の位置情報を取得する（ステップＳ２０９）。
【００７１】
ここで、子機端末２１の位置情報の取得の詳細について説明する。
図６は、実施の形態２に係る子機端末の位置情報を取得の動作を例示するフローチャートである。
【００７２】
図６に示すように、モバイルルータ２２は、アクセサリ２３へトリガとなるトリガ通信を行い、アクセサリ２３と接続する（ステップＳ２０９１）。
【００７３】
アクセサリ２３は、トリガ通信を受け、Ｗｉ−Ｆｉ通信を使用して子機端末２１と接続する（ステップＳ２０９２）。
【００７４】
アクセサリ２３とＷｉ−Ｆｉ通信を使用して接続した子機端末２１は、ＧＰＳ２１４を起動する（ステップＳ２０９３）。
【００７５】
子機端末２１は、ＧＰＳ２１４を使用して子機端末２１の現在の位置情報を取得する（ステップＳ２０９４）。
【００７６】
子機端末２１は、位置情報を取得後、ＧＰＳ２１４を停止する（ステップＳ２０９５）。
【００７７】
子機端末２１は、アクセサリ２３へ子機端末２１の位置情報を通知する（ステップＳ２０９６）。
【００７８】
アクセサリ２３は、モバイルルータ２２へ子機端末２１の位置情報を通知する（ステップＳ２０９７）。
【００７９】
図５に示すステップＳ２０９に戻り、子機端末２１の現在の位置情報を取得した後、ＩＥＥＥ８０２．１１ａｈを使用した通信が切断したかを確認する（ステップＳ２１０）。
【００８０】
モバイルルータ２２とアクセサリ２３とのＩＥＥＥ８０２．１１ａｈを使用した通信が切断した場合（ステップＳ２１０：Ｙｅｓ）、子機端末２１の位置情報を、子機端末２１の置き忘れ場所の候補場所としてユーザ通知Ｎｔ１を行う（ステップＳ２１１）。
【００８１】
子機端末２１の位置情報の取得においては、子機端末２１との通信の切断時に、一時的にＧＰＳ２１４を起動するだけである。これにより、実施の形態２に係る子機端末２１の位置情報を取得する方法は、ＧＰＳを常に起動して子機端末の位置情報を取得する方法と比べて、子機端末の消費電力を低減することができる。
【００８２】
実施の形態２に係る通信システム２０においては、子機端末２１の代わりにアクセサリ２３がＩＥＥＥ８０２．１１ａｈを使用した通信を行う。これにより、実施の形態２においても、子機端末がモバイルルータと通信を行う際、ユーザによる子機端末の置き忘れを防止することが可能な子機端末、モバイルルータ、通信システム、方法及びプログラムを提供することができる。
【００８３】
また、通信システム２０においては、ＧＰＳ２１４を使用して子機端末２１の位置情報を取得する。これにより、子機端末２１の置き忘れ場所の候補場所として、取得した位置情報をユーザに提供することができる。
【００８４】
また、通信システム２０においては、子機端末２１との通信の切断時に、一時的にＧＰＳ２１４を起動し位置情報を取得するだけなので、子機端末２１の消費電力を低減することができる。
【００８５】
［実施の形態３］
実施の形態３に係る通信システムの構成を説明する。
図７は、実施の形態３に係る通信システムを例示するブロック図である。
【００８６】
図７に示すように、実施の形態３に係る通信システム３０は、子機端末３１と、モバイルルータ３２と、アクセサリ３３と、を備える。アクセサリ３３は、子機端末３１と接続される。アクセサリ３３は、モバイルルータ３２と第２無線通信インターフェースＩＦ２で通信を行う。
【００８７】
子機端末３１は、通信部３１１と通知部３１３とを有する。通信部３１１は、第１無線通信インターフェースＩＦ１でモバイルルータ３２と通信を行う。第１無線通信インターフェースＩＦ１は、例えば、ＩＥＥＥ８０２．１１ｎ、又はＩＥＥＥ８０２．１１ａｃ等のＷｉ−Ｆｉ通信である。第２無線通信インターフェースＩＦ２は、例えば、ＩＥＥＥ８０２．１１ａｈ通信である。通信部３１１を子機通信部と称し、通知部３１３を子機通知部と称することもある。
【００８８】
通知部３１３は、Ｗｉ−Ｆｉ通信の接続及びＩＥＥＥ８０２．１１ａｈ通信の接続のいずれもが切断した場合、子機端末３１を使用するユーザに対してユーザ通知Ｎｔ１を行う。子機端末３１は、一般的な無線子機機能も有する。
【００８９】
モバイルルータ３２は、通信部３２１を有する。通信部３２１は、子機端末３１がユーザ通知Ｎｔ１を行った後、ＩＥＥＥ８０２．１１ａｈ通信を使用した再接続が行われた場合、子機端末３１に別のユーザ通知Ｎｔ２を行わせるため、アクセサリ３３を介して子機端末３１に起床通知を行う。モバイルルータ３２は、一般的な無線ルータ機能も有する。モバイルルータ３２からアクセサリ３３への起床通知の通知は、ＩＥＥＥ８０２．１１ａｈ通信を使用して行われる。
【００９０】
アクセサリ３３は、通信部３３１を有する。通信部３３１は、子機端末３１がユーザ通知Ｎｔ１を行った後、モバイルルータ３２とＩＥＥＥ８０２．１１ａｈ通信の再接続が行われた場合、子機端末３１に別のユーザ通知Ｎｔ２を行わせるため、子機端末３１に起床通知を行う。アクセサリ３３の通信部３３１は、子機端末３１に接続され、子機端末３１の代わりにＩＥＥＥ８０２．１１ａｈを使用した通信を行う。通信部３３１を、アクセサリ通信部と称することもある。
【００９１】
子機端末３１は、モバイルルータ３２及びアクセサリ３３のそれぞれから、起床通知を取得し、ユーザに対して別のユーザ通知Ｎｔ２を行う。
【００９２】
実施の形態３に係る通信システムの動作を説明する。
図８は、実施の形態３に係る通信システムの動作を例示するフローチャートである。
【００９３】
実施の形態３では、アクセサリ３３の通信部３３１がＩＥＥＥ８０２．１１ａｈを使用した通信を行うものとして説明する。
【００９４】
実施の形態３に係る通信システムは、子機端末３１の置き忘れが発生した際に、子機端末３１の捜索に使用される。アクセサリ３３は、モバイルルータ３２とのＩＥＥＥ８０２．１１ａｈを使用した通信の接続が切断しているものとする。
【００９５】
図８に示すように、子機端末３１の位置情報を取得する（ステップＳ３０１（ステップＳ２０９））。
【００９６】
子機端末３１の位置情報を取得していることを知らせるため、アクセサリ３３へ位置情報取得トリガを通知する（ステップＳ３０２）。
【００９７】
子機端末３１の位置情報は、例えば、実施の形態２に記載した方法を使用して取得される。取得した位置情報は、子機端末２１の置き忘れ場所の候補場所としてユーザに提供されるので、ユーザは、モバイルルータ３２を所持して、子機端末３１の存在する位置付近まで近づくことができる。
【００９８】
ＩＥＥＥ８０２．１１ａｈを使用した通信は、比較的広い範囲まで電波が届く。モバイルルータ３２が子機端末３１の存在する位置付近に近づくことで、モバイルルータ３２と、子機端末３１に接続されたアクセサリ３３とが、ＩＥＥＥ８０２．１１ａｈ通信を使用して再接続する（ステップＳ３０３）。
【００９９】
モバイルルータ３２は、ＩＥＥＥ８０２．１１ａｈを使用した通信の再接続をトリガにして、子機端末３１の起床トリガとなる起床トリガ通信を行う。起床トリガ通信は、アクセサリ３３を介して子機端末３１に通知される。アクセサリ３３は、起床トリガ通信を受け、子機端末３１へＷｉ−Ｆｉ通信で接続し、子機端末３１のユーザ通知機能を起動する（ステップＳ３０４）。
【０１００】
子機端末３１は、アクセサリ３３からの起床トリガ通信を取得する。子機端末３１は、通知部３１３のユーザ通知機能を使用し、発光やアラーム鳴動等で子機端末３１の位置を知らせる。発光やアラーム鳴動等で子機端末３１の位置を知らせることを、別のユーザ通知Ｎｔ２と称する。
【０１０１】
ユーザ（探索者）は、発光、アラーム鳴動等を認識し、子機端末３１を発見する（ステップＳ３０５）。
【０１０２】
また、子機端末３１が、ＧＰＳ及びＬＴＥ等の機能を有する場合、それらの機能を有効化し、さらに詳細な位置情報をＬＴＥ網を使用して通知してもよい。
【０１０３】
実施の形態３に係る子機端末３１の探索においては、Ｗｉ−Ｆｉ通信よりも広い範囲まで電波が届くＩＥＥＥ８０２．１１ａｈ通信を使用する。すなわち、Ｗｉ−Ｆｉ通信よりも通信可能な最大距離が長いＩＥＥＥ８０２．１１ａｈ通信を使用する。これにより、子機端末３１の探索は、通常のＷｉ−Ｆｉ通信の再接続による探索と比べ、より広い範囲を捜索することができる。
【０１０４】
また、実施の形態３に係る子機端末３１の探索は、待受時は、ＩＥＥＥ８０２．１１ａｈを使用して行うので消費電力が低い。すなわち、子機端末３１の探索は、捜索者が子機端末３１に近付いた時だけユーザ通知機能を有効にするので、常にＧＰＳやＬＴＥが有効となる探索方法と比べて、子機端末３１の電池切れにより探索が困難となることが少ない。
【０１０５】
尚、上記の実施の形態では、本発明をハードウェアの構成として説明したが、本発明はこれに限定されるものではない。本発明は、各構成要素の処理を、ＣＰＵ（Central Processing Unit）にコンピュータプログラムを実行させることにより実現することも可能である。
【０１０６】
上記の実施の形態において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実態のある記録媒体(trangible storage medium)を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programable ROM）、ＥＰＲＯＭ(Erasable PROM)）、フラッシュＲＯＭ、ＲＡＭ(Random Access Memory)を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１０７】
また、上記の実施形態の一部又は全部は、以下の付記のようにも記載されうるが、以下には限られない。
【０１０８】
（付記１）
第１無線通信インターフェース及び第２無線通信インターフェースの少なくとも一方でモバイルルータと通信を行う子機通信部と、
前記第１無線通信インターフェースの通信の接続が切断した場合、前記第２無線通信インターフェースの通信に切替える子機切替部と、
前記第１無線通信インターフェースの通信の接続及び前記第２無線通信インターフェースの通信の接続のいずれもが切断した場合、自端末を使用するユーザに対してユーザ通知を行う子機通知部と、
を備える子機端末。
（付記２）
前記第２無線通信インターフェースの通信可能な最大距離は、前記第１無線通信インターフェースの通信可能な最大距離よりも長い、
付記１に記載の子機端末。
（付記３）
前記第１無線通信インターフェースの通信の接続状態と前記第２無線通信インターフェースの通信の接続状態とを監視する子機監視部をさらに有する、
付記１又は２に記載の子機端末。
（付記４）
自端末の位置情報を取得するＧＰＳをさらに有し、
前記位置情報は、自端末の置き忘れ場所の候補場所として前記ユーザ通知に含まれる、
付記１乃至３のいずれか１つに記載の子機端末。
（付記５）
前記第１無線通信インターフェースは、ＩＥＥＥ８０２．１１ｎ、又はＩＥＥＥ８０２．１１ａｃを使用した無線通信インターフェースであり、
前記第２無線通信インターフェースは、ＩＥＥＥ８０２．１１ａｈを使用した無線通信インターフェースである、
付記１乃至４のずれか１つに記載の子機端末。
（付記６）
前記第１無線通信インターフェースの消費電力は、前記第２無線通信インターフェースの消費電力よりも大きい、
付記１乃至５のいずれか１つに記載の子機端末。
（付記７）
前記第１無線通信インターフェースの周波数は、前記第２無線通信インターフェースの周波数とは異なる、
付記１乃至６のいずれか１つに記載の子機端末。
（付記８）
前記子機通知部は、自端末のディスプレイへのメッセージ表示、バイブレータによる振動、ブザーによる鳴動、及びランプの点灯のうち少なくともいずれか１つを行うことでユーザ通知を行う、
付記１乃至７のいずれか１つに記載の子機端末。
（付記９）
第１無線通信インターフェース及び第２無線通信インターフェースの少なくとも一方で子機端末と通信を行うルータ通信部と、
前記第１無線通信インターフェースの通信の接続が切断した場合、前記第２無線通信インターフェースの通信に切替えるルータ切替部と、
前記第１無線通信インターフェースの通信の接続及び前記第２無線通信インターフェースの通信の接続のいずれもが切断した場合、前記子機端末にユーザ通知を行わせるため、前記子機端末にアラームを通知するルータ通知部と、
を備えるモバイルルータ。
（付記１０）
前記第２無線通信インターフェースの通信可能な最大距離は、前記第１無線通信インターフェースの通信可能な最大距離よりも長い、
付記９に記載のモバイルルータ。
（付記１１）
子機端末と、前記子機端末と通信を行うモバイルルータと、を備え、
前記子機端末は、
第１無線通信インターフェース及び第２無線通信インターフェースの少なくとも一方で前記モバイルルータと通信を行う子機通信部と、
前記第１無線通信インターフェースの通信の接続が切断した場合、前記第２無線通信インターフェースの通信に切替える子機切替部と、
前記第１無線通信インターフェースの通信の接続及び前記第２無線通信インターフェースの通信の接続のいずれもが切断した場合、自端末を使用するユーザに対してユーザ通知を行う子機通知部と、を有し、
前記モバイルルータは、
前記第１無線通信インターフェース及び前記第２無線通信インターフェースの少なくとも一方で前記子機端末と通信を行うルータ通信部と、
前記第１無線通信インターフェースの通信の接続が切断した場合、前記第２無線通信インターフェースの通信に切替えるルータ切替部と、
前記第１無線通信インターフェースの通信の接続及び前記第２無線通信インターフェースの通信の接続のいずれもが切断した場合、前記子機端末に前記ユーザ通知を行わせるため、前記子機端末にアラームを通知するルータ通知部と、を有する、
通信システム。
（付記１２）
前記第２無線通信インターフェースの通信可能な最大距離は、前記第１無線通信インターフェースの通信可能な最大距離よりも長い、
付記１１に記載の通信システム。
（付記１３）
子機端末と、前記子機端末と第１無線通信インターフェースで通信を行うモバイルルータと、前記子機端末と接続され前記モバイルルータと第２無線通信インターフェースで通信を行うアクセサリと、を備え、
前記子機端末は、
前記モバイルルータと通信を行う子機通信部と、
前記第１無線通信インターフェースの通信の接続及び前記第２無線通信インターフェースの通信の接続のいずれもが切断した場合、前記子機端末を使用するユーザに対してユーザ通知を行う子機通知部と、を有し、
前記アクセサリは、
前記子機端末が前記ユーザ通知を行った後、前記モバイルルータと前記第２無線通信インターフェースの通信の再接続が行われた場合、前記子機端末に別のユーザ通知を行わせるため、前記子機端末に起床通知を行うアクセサリ通信部を有し、
前記モバイルルータは、
前記子機端末が前記ユーザ通知を行った後、前記再接続が行われた場合、前記子機端末に前記別のユーザ通知を行わせるため、前記アクセサリを介して前記子機端末に起床通知を行うルータ通信部を有し、
前記子機端末は、前記ユーザに対して前記別のユーザ通知を行う、
通信システム。
（付記１４）
前記第２無線通信インターフェースの通信可能な最大距離は、前記第１無線通信インターフェースの通信可能な最大距離よりも長い、
付記１３に記載の通信システム。
（付記１５）
第１無線通信インターフェース及び第２無線通信インターフェースの少なくとも一方でモバイルルータと通信を行うステップと、
前記第１無線通信インターフェースの通信の接続が切断した場合、前記第２無線通信インターフェースの通信に切替えるステップと、
前記第１無線通信インターフェースの通信の接続及び前記第２無線通信インターフェースの通信の接続のいずれもが切断した場合、子機端末を使用するユーザに対してユーザ通知を行うステップと、
を備える方法。
（付記１６）
第１無線通信インターフェース及び第２無線通信インターフェースの少なくとも一方でモバイルルータと通信を行うステップと、
前記第１無線通信インターフェースの通信の接続が切断した場合、前記第２無線通信インターフェースの通信に切替えるステップと、
前記第１無線通信インターフェースの通信の接続及び前記第２無線通信インターフェースの通信の接続のいずれもが切断した場合、子機端末を使用するユーザに対してユーザ通知を行うステップと、
をコンピュータに実行させるプログラム。
【０１０９】
なお、本発明は上記実施の形態に限られたものではなく、趣旨を逸脱しない範囲で適宜変更することが可能である。
【符号の説明】
【０１１０】
１０、２０、３０…通信システム
１１、２１、３１…子機端末
１１１、２１１、３１１…通信部
１１２…切替部
１１３、３１３…通知部
２１４…ＧＰＳ
１２、２２、３２…モバイルルータ
１２１、２２１、３２１…通信部
１２２、２２２…切替部
１２３、２２３…通知部
２３、３３…アクセサリ
２３１、３３１…通信部
２３２…切替部
２３３…通知部
ＩＦ１…第１無線通信インターフェース
ＩＦ２…第２無線通信インターフェース
Ｎｔ１…ユーザ通知
Ｎｔ２…別のユーザ通知
【図１】
2019126006.tif 000003
【図２】
2019126006.tif 000004
【図３】
2019126006.tif 000005
【図４】
2019126006.tif 000006
【図５】
2019126006.tif 000007
【図６】
2019126006.tif 000008
【図７】
2019126006.tif 000009
【図８】
2019126006.tif 000010